Podtech/llm-jp-corpus-v4-ja_patent huggingface dataset:
(57)【要約】      （修正有）【課題】多額の費用をかけず、セパレートの雰囲気を醸し出し入居者のユニットバス嫌いを軽減させるユニットバスの提供。【解決手段】風呂桶０４と便器０５のあいだの、風呂桶の上部面と天井を突っ張り棒０８等のばねで突っ張り固定し、その突っ張り棒０８を支点として開閉できるドアーを有するユニット０３を設置する。【選択図】図１
2019055163.tif 000002
【特許請求の範囲】
【請求項１】
風呂桶と便器のあいだの、風呂桶の上部面と天井を突っ張り棒等のばねで突っ張り固定し、その突っ張り棒を回転中心として開閉できるドアーを有するユニット
【発明の詳細な説明】
【技術分野】
【０００１】  本発明は、３点式ユニットバスのセパレートドアーに関するものである。
【背景技術】
【０００２】  ３点式ユニットバスはトイレとバスが狭い空間内にコンパクトに納められホテル、ワンルームマンション等に採用されている。トイレとバスが同一内にあることで近年嫌われることが多く、トイレとバスを分離したセパレート方式が好まれておりワンルームマンションの業界では、家賃が半額程度まで下がってきている。
そのため、分離する工事を実施することも多い。ただ多額の費用が必要で採算が合わないことも多発している。さらに、分離することで部屋がせまくなるのでできない場合も多い。
【発明の開示】
【発明が解決しようとする課題】
【０００３】  多額の費用をかけず、セパレートの雰囲気を醸し出し入居者のユニットバス嫌いを軽減させる。
【課題を解決するための手段】
【０００４】  便器と風呂桶の間に脱着可能な安価な簡易にドアーを設ける。
【発明の効果】
【０００５】  便器を使用する際は、風呂桶は見えず機能面で制約は無く分離されたように感じられる。また、風呂桶を使用する際は、便器は見えず機能面で制約はなく分離されたように感じられる。脱着可能なドアーとすることで、設置工事費が安価で改修工事が安価に抑えられる。
【発明を実施するための最良の形態】
【０００６】  風呂桶と便器のあいだの、風呂桶の上部面と天井を突っ張り棒等のばねで突っ張り固定し、その突っ張り棒を回転中心として開閉できるドアーを有するユニットを設置する。
【実施例１】
【０００７】  図１に３点式ユニットバス０１のドアー０２を開けた状態でセパレートドアーユニット０３が取り付けられている状態を示す。風呂桶０４と便器０５のあいだの、風呂桶０４の上部面０６と天井０７を突っ張り棒０８等のばね０９で突っ張り固定し、その突っ張り棒０８を回転中心１０として開閉できるドアー板１１を有するユニット。突っ張り固定とすることで脱着可能なセパレートドアーユニット０３としている。
ドアー板１１は透明、または半透明の樹脂版あるいは、ポリカーボネイトの段ボール等の軽いものが好ましいい。Ａの状態は通常の状態でありＢの状態はバスに出入りするときの状態を示す。ドアー板１１には取って１２があり開け閉めが容易にする。突っ張り棒は突っ張り固定できるようにバネ０９が仕込まれている。棒の上下には回転自在にリング１３が嵌合されておりドアー板１１の開閉に供している。このリングにドアー板１１が取り付けられている。
【産業上の利用可能性】
【０００８】簡易セパレートドアー
【図面の簡単な説明】
【０００９】
【図１】３点式ユニットバスのセパレートドアーユニットの説明図である。
【符号の説明】
【００１０】１  ３点式ユニットバス
２  ドアー
３  セパレートドアーユニット
４  風呂桶
５  便器
６  上面部
７  天井
８  突っ張り棒
９  ばね
１０  回転中心
１１  ドアー板
１２  取っ手
１３  リング
【図１】
2019055163.tif 000003
(57)【要約】【課題】日常的に殺菌、減菌を行う【解決手段】点灯器具内に小型の蓄電装置と人感センサーと殺菌灯を組み込み、人がいなくなった際に消灯するため点灯器具の通電を止めた際に内蔵の蓄電装置により、まず人感センサーを起動させて動く物体がいないことを確認したのち数秒後に殺菌灯を点灯することで病原菌や細菌を減少させる事が出来る【選択図】図１
2019055164.tif 000002
【特許請求の範囲】
【請求項１】
蓄電方式による人感センサー等を内蔵した照明と殺菌灯を有した物。
【発明の詳細な説明】
【技術分野】
【０００１】  この発明は、トイレの照明を消した時に殺菌できる事に関する。
【背景技術】
【０００２】  装置にバッテリー機器等を内蔵することにより電源スイッチ等により通電されなくなったときに内蔵電源を使用、人感センサー等で無人確認の際に殺菌灯を点灯させる装置である。
【発明の概要】
【発明が解決しようとする課題】
【０００３】  医療現場、食品加工現場、家庭のトイレ等で起こる病原菌や細菌感染が問題となっている。そこで、この発明は人がいなくなった際に照明を切るだけで自動により殺菌灯へ切り替えることが出来る装置を提供することを課題とする。
【課題を解決するための手段】
【０００４】  以上の課題を解決するために、第一発明は照明機器にバッテリー等の内部電源を搭載し通電されなくなった際に殺菌灯に切り替わる装置である。
【発明の効果】
【０００５】  第一発明によれば、日々状態的な単純な行動にて医療現場、食品加工現場、家庭等から感染等を減少させる事が出来る。
【図面の簡単な説明】
【０００６】  ７の点灯器具内に小型の蓄電装置と人感センサーと殺菌灯を組み込み、点灯器具を操作する器具から通電が行われなくなったときに内蔵の蓄電装置が人感センサーを起動させ、動く物がいないことが確認されたのち数秒後に殺菌灯を点灯することで病原菌や細菌を減少させる事が出来る。
【図１】この発明の一実施形態を示す図である。
【発明を実施するための形態】
【０００７】  この発明の一実施形態を、図１に示す。
電球ソケットや蛍光灯の形態に本装置を形づけることにより家庭等のトイレなどにも手軽に設置する事が出来、また生物に有害な紫外線等を用いた殺菌灯を照射する際は、人感センサーにより動く物がいないか確認した後、時間を空けてから照射を行うようにすることで人体に悪影響を及ぼすことなく殺菌を行う。
【０００８】「実施形態の効果」
この実施形態によれば日常的に殺菌、減菌を行う事が可能。
「他の実施形態」
図１の実施形態では、通電遮断時での使用を想定しているが、食品売り場のトング等の殺菌灯に持ちいて人感センサーにより人が近づいた際に消灯するように使用しても良い。
【産業上の利用可能性】
【０００９】  この機構を医療、食品、家庭等殺菌が必要とされる箇所に設置することで減菌となる。
【符号の説明】
【００１０】１  通常照明
２  殺菌灯
３  人感センサー
４  蓄電及び動作コントロール部
５  電源ソケット
【図１】
2019055164.tif 000003
(57)【要約】【課題】従来の特許庁向け特許申請（実用新案、商標、意匠を含む）は、出願人が行うことになっている。が、初回申請時、発明者の許可を得て書類作成をしているのかが申請用紙をみただけでは確認できない難点があった。許可なく他人の意見を申請した場合、傍人特許となる。【解決手段】特許庁向け特許申請用紙（実用新案、商標、意匠を含む）を作成時に、最初の１ページ目の出願人氏名、電話番号を記入した後、すぐ下に発明者許可サインと発明者確認印の欄を設け、本当に発明者の許可を得た証明とする。確認サインと印がなければ補正案として発明者へ郵送する。【選択図】図１
2019127026.tif 000002
【特許請求の範囲】
【請求項１】
特許庁向け特許申請用紙  １ページ目
実用新案申請用紙  １ページ目
商標申請用紙  １ページ目
意匠申請用紙  １ページ目
【発明の詳細な説明】
【技術分野】
【０００１】本発明は、特許庁向け特許申請時に於ける傍人特許防止策に関する。
【背景技術】
【０００２】従来の特許庁向け特許申請（実用新案、商標、意匠を含む）は、発明者が申請するとは限らず、出願人は、申請者とみなされており、出願人が書類作成するのであるが、発明者氏名や出願人氏名をいつわったり、のぞき見によりどろぼうしようとして、傍人特許になっており、正しい書類が作成できていない難点がある。
書類上は、発明者と出願人氏名がちがう場合、出願人は発明者から何らかの形で相続、譲渡、依託をうけており、全て出願人がかいて、出願人氏名の欄は、出願人の本人が本人の氏名をかいて印をおすだけである。
【発明の概要】
【発明が解決しようとする課題】
【０００３】発明者と出願人を同一人物にする場合は、正当であるとみなされる。
だが発明者と出願人がちがう氏名の場合は、出願人が本当に発明者の許可を得て書類手続を行っているのかが問題である。
もし、のぞき見によって勝手に書類作成を行っているのであれば、傍人特許となる。だが、書類を見ても傍人か正当かの判断がつかない。
発明者と出願人の氏名がちがう場合、最初に申請する前に依頼、譲渡相続をうけている場合と、申請後手つづき変更する時と、とり下げ請求やとりけしをしてかき直す場合がある。
【課題を解決するための手段】
【０００４】特許庁へ最初に特許申請するとき、（実用新案、商標、意匠を含む）出願人欄へ氏名をかいて、印をおす。これに追加して、発明者の確認印の欄を設定して、氏名印をおして、本当に発明者が出願人に許可をとった証拠をのこすことにより、傍人特許を防止する。
発明者氏名をいつわることは、法で禁止されている。
尚、発明者の確認のサイン、印があっても、相続、譲渡証などの正当な手つづきも行われなければならないことは、言うまでもない。
又、発明者の確認のサインと印がない場合は、発明者宛てに補正案が郵送され、確認のサインと印を補正することになる。
このことにより、傍人特許が本当のはずのもち主に自動的に電子図書館にのるまでまたなくても、もどってくることになる。
もちろん、発明者の氏名、確認印を押すとき、内容を確認し、誤解や不足やつけ足しがあれば、追加することになる。
【発明の効果】
【０００５】発明者が出願人の提出した書類を確認することにより、正当な書類を提出できる。傍人特許の件数を減らすことができる。
傍人特許を裁判でとりかえすなど多大な現金を使わず、早期にとりかえすことができる。
又、特許庁の傍人特許件数がへり、事務作業が迅速に行える。
確認印がなければ、勝手に出願人になれない。
【図面の簡単な説明】
【０００６】
【図１】特許庁向け特許申請用紙記入方法図
【発明を実施するための形態】
【０００７】特許庁向け特許申請用紙記入時最初の１ページ目、出願人欄の下に発明者許可サインと印を押すようにする。これは、発明者本人がサイン、印を押すことである。発明者許可サインと印がないものは、補正案として、発明者にもどってくる。（郵送）
もどったものは、発明者は、サインと印をおして、内容を確認し、補正する。
このようにすれば、とっきょ庁が傍人を発見し、とりかえすことは行う必要がない。よって、とっきょ庁内パソコンでとりかえす時は、発明者宛にとりかえすことになる。
【図１】
2019127026.tif 000003
(57)【要約】      （修正有）【課題】４月１日から始まり、一年３６５日の一日一日がどんな日かを知ることが可能なカレンダーを提供する。【解決手段】４月の新学期から始まり翌年３月に終わるカレンダーで一枚の用紙に１２カ月分を収める通年型年表式で、月毎一日から月末までを横又は縦一列に同じ幅の日にち間隔で割り振り、毎日の内容を記載するカレンダーである。１年３６５日毎日何らかの記念日や行事出来事を入れると共に子供や教育に関係する週間・旬間や、季節の特徴を取り入れたり挿絵や言葉を取り入れたりした暦。【選択図】図１
2019127025.tif 000002
【特許請求の範囲】
【請求項１】
新学期４月から始まり翌年３月に終わるカレンダーで１年３６５日毎日何らかの記念日や行事出来事を入れると共に例えば学校や職場、施設等のニーズに対応する週間・旬間や、季節の特徴を取り入れたり挿絵や言葉を入れたりした年度を基準とする暦
【請求項２】
一枚の用紙に１２カ月分を収める通年型年表式で、月毎一日から月末までを横又は縦一列に同じ幅の日にち間隔で割り振り日にちと曜日を入れ、日毎の内容を記載するカレンダー
【発明の詳細な説明】
【技術分野】
【０００１】  本発明は、教育関係現場や施設等で新学期の４月から用いるカレンダーに関する。
【背景技術】
【背景技術】
【０００２】  カレンダーには様々な種類があり新年１月から始まり、一年中の月日、曜日、祝祭日、季節や月齢、日の出日没、各種行事や記念日を記載したものがあり、主として日にち別月別となっている。【０００３】  一年間を月別にまとめ１２カ月を一月から始まり一面に均等に配置して印刷した年表式のものもあり、これには曜日や祝祭日等が記載されている程度である。
【発明の概要】
【発明が解決しようとする課題】
【０００４】  新学期は４月に始まるので、４月１日から始まるカレンダーの提供で一年の出発を新鮮な気持ちで迎えようという期待に応えることが望まれる。【０００５】  カレンダーを見て一年３６５日の一日一日がどんな日かを知ることで知的好奇心を刺激し興味が深まり教養が増したり考えたり追求したりといった基となる情報を得ることができる。
【課題を解決するための手段】
【０００６】  本発明のカレンダーは４月から始まる通年型年表式のものとし、年度の終了する３月末の一年間で終わる形式とする。【０００７】  本発明のカレンダーは、一年間の毎日が何らかの日、節気や記念日、行事や出来事等に該当していることを知るためのもので、３６５日の日毎に簡潔な標記を用いて著すと共に子供に関係する週間・旬間や、季節の特徴を取り入れたり挿絵や言葉を取り入れたりしている。【０００８】  本発明のカレンダーは、横または縦に一月の日にちを入れ、４月から翌年３月の月毎の並びとし、その日にちの下または横に毎日の項目を記入する。
【発明の効果】
【０００９】  本発明により教育関係現場や年度替わりの職場等では、４月始まりの新しいカレンダーを掲げることにより新たな気持ちで新年度を迎えることができる。【００１０】  一年間の毎日に何らかの日、節気や記念日、行事や出来事、及び子供に関係する週間・旬間や、季節の特徴を取り入れたり挿絵や言葉を取り入れたりした記載が成されているので知識や教養を深めることができると共に興味や関心を引き出し発展させることができる。【００１１】  通年型年表式、つまり一年間の月別で日にちや曜日に従った一枚のカレンダーとなっているため、年間の様子や季節の移り変わりを把握し易い。
【図面の簡単な説明】
【００１２】
【図１】本発明に係わるカレンダーの概要図である。
【図２】日毎の項目と週間や旬間が入った拡大部分の図である。
【図３】月毎の解説が入った拡大部分の図である。
【発明を実施するための形態】
【００１３】  図１図２図３は、本発明に係わるカレンダーの実施例を示す。図１においてはカレンダーの全体像を、図２においては月別で日毎の項目と週間や旬間が入った具体例を、図３においては月毎の解説が入った一例を示している。
【００１４】  多くの人に見てもらえるようにするためポスターとして印刷し、掲示板や壁等に貼って利用したり、小さなサイズに仕上げてノートに貼ったり下敷きやカードにしたりすることもできる。
【符号の説明】
【００１５】１  カレンダーのタイトルで利用対象者によって工夫し使いやすいテーマとする。
２  一日から月末まで日毎に何らかの項目を入れ、利用者に沿った内容とする。
３  各月にちなんだ内容としたり利用対象のニーズに合ったりした内容とする。
４  日にちと曜日の設定。
５  日毎に節気や記念日、行事や出来事、季節の特徴等又は利用対象者のニーズに合った  何らかの内容を記載する。
６  週間や旬間、月間を入れる。
７  各月に因んだ内容や利用者のニーズに合った内容を入れることもできる。
８  必要に応じてカウントダウンの項目を随時設定することもできることも可能である。
【図１】
2019127025.tif 000003
【図２】
2019127025.tif 000004
【図３】
2019127025.tif 000005
(57)【要約】【課題】自転車のタイヤに確実に装着され、雪道等で走行中にタイヤとの取り付け位置がずれたり或いはタイヤから外れたりせず、更に、タイヤへの取り付けと取り外しが容易な自転車用タイヤの滑り止め具を提供する。【解決手段】可撓性の板状の本体２の外表面に滑り止め部３を形成すると共に内表面をタイヤ５との当接面に形成し、前記本体２の側方部に、前記タイヤ５の両側縁とリム７の両側縁との間で圧接されて係止する係止突辺部４を設けた。【選択図】図１
2019127061.tif 000002
【特許請求の範囲】
【請求項１】
可撓性の板状の本体の外表面に滑り止め部を形成すると共に内表面をタイヤとの当接面に形成し、前記本体の側方部に、前記タイヤの両側縁とリムの耳部の両側縁との間で圧接され係止する係止突辺部を設けた自転車用タイヤの滑り止め具。
【請求項２】
前記係止突片部の厚さは前記本体の厚さよりも薄く形成した請求項１記載の自転車用タイヤの滑り止め具。
【発明の詳細な説明】
【技術分野】
【０００１】
本発明は、雪道等において使用する着脱が容易な自転車用タイヤの滑り止め具に関する。
【背景技術】
【０００２】
従来、この種の自転車用タイヤの滑り止め具として、例えば、自転車のタイヤに適応する複数の馬蹄形セグメントを適宜間隔を置いて配列し、その各両端部において連結杆でそれぞれ一体連結すると共に接地面側の両側に軸方向の2本の滑り止め杆が外方へ僅か突出するよう各セグメントにそれぞれ取付けられたスリップ防止エレメントをタイヤに適宜間隔を置いて複数個嵌め付けるようにしたものが知られている（特許文献１参照）。
【先行技術文献】
【特許文献】
【０００３】
【特許文献１】実開昭６４−２４６０４号公報
【発明の概要】
【発明が解決しようとする課題】
【０００４】
しかし、この従来の滑り止め具によれば、タイヤに適宜間隔を置いて複数個該タイヤの周面に単に嵌め付けるようにしたので、該滑り止め具が雪道を走行中にタイヤの取り付け位置からずれたり、或いはタイヤから外れたりする問題点があった。
【０００５】
本発明はこのような問題点を解消し、確実に装着すると共に着脱が容易な自転車用タイヤの滑り止め具を提供することを目的とする。
【課題を解決するための手段】
【０００６】
本発明はこの目的を達成すべく、可撓性の板状の本体の外表面に滑り止め部を形成すると共に内表面をタイヤとの当接面に形成し、前記本体の側方部に、前記タイヤの両側縁とリムの両側縁との間で圧接されて係止する係止突辺部を設けた。
【発明の効果】
【０００７】
本発明によれば、自転車用タイヤに確実に装着され、雪道等での走行中にタイヤとの取り付け位置がずれたり或いはタイヤから外れたりせず、更に、タイヤへの取り付けと取り外しが容易な自転車用タイヤの滑り止め具を提供する。
【図面の簡単な説明】
【０００８】
【図１】本発明の実施例１の自転車用タイヤの滑り止め具の平面図である。
【図２】該自転車用タイヤの滑り止め具の正面図である。
【図３】該滑り止め具を自転車のタイヤに取り付けた状態を示す正面図である。
【図４】図３のX−X線の拡大切断面図である。
【発明を実施するための形態】
【０００９】
本発明を実施するための形態の実施例を以下に示す。
【実施例１】
【００１０】
本発明の自転車用タイヤの滑り止め具の実施例１を図面により説明する。
【００１１】
図１は本発明の実施例１の自転車用タイヤの滑り止め具の平面図、図２は該自転車用タイヤの滑り止め具の正面図、図３は該滑り止め具を自転車のタイヤに取り付けた状態を示す正面図、図４は図３のX−X線の拡大切断面図である。
【００１２】
１は実施例１の滑り止め具、２は該滑り止め具１の本体を示し、該本体２は、可撓性があり強度が大の合成樹脂製の長方形状の板状体からなり、図１及び図２に示す如く斜め格子状に切り込まれた切り抜き部３Aとこれらの残りの残存帯状部３Bとにより該本体２の外表面が凹凸のある滑り止め部３に形成されている。
【００１３】
４は係止突片部を示し、該係止突片部４は、前記本体２の両側方部から延長突設し、該本体２よりも薄い板状に形成されている。
【００１４】
次に本実施例１の滑り止め具１の使用と効果を説明する。
【００１５】
先ず、自転車の車輪Aのタイヤ５内のチューブ６からエアーを少し抜いて該タイヤ５の両側縁のビード部５A、５Aとリム７の両側縁の耳部７A,7Aとの間に多少の間隙を形成する。そして、該タイヤ５に所定の間隔毎に前記滑り止め具２をその内表面が該タイヤ５外周面に交差して当接させてから、該滑り止め具２の両側方の前記係止突片部４を前記ビード部５Aと前記耳部７Aとの前記間隙に差し込む。
【００１６】
その後、前記チューブ６内にエアーを注入すると前記タイヤ５のビード部５Aと前記リム７の耳部7Aとの間の間隙が狭まって全ての前記係止突片部４がこれらビード部５Aと耳部７Aとにより圧接して係止され、全ての滑り止め具１がタイヤ５に確実に固定される。かくて、自転車で雪道等を走行してもこれ滑り止め具１により滑ることがなく、転倒が防止されて安全である。
【００１７】
ここで、前記係止突片部４の厚さが前記本体２の厚さより薄くしたので、該係止突片部４が前記ビード部５Aと前記耳部７Aとの間に挟まれていても、前記係止突片部４が挟まれていない個所でこれらビード部５Aと耳部７Aとの係合が保持されている。
【００１８】
次に、これら滑り止め具１を前記タイヤ５から外すときは、前述と同様に前記チューブ５からエアーを少し抜いて該タイヤ５のビード部５Aと前記リム７の耳部７Aとの間に多少の間隙を形成し、これら間隙から全ての前記係止突片部４を抜いて全ての滑り止め具１を前記タイヤ５から外す。従って、滑り止め具１の取り付け及び取り外しが容易できる。
【００１９】
尚、前記実施例では、前記本体２は、斜め格子状に切り込まれた切り抜き部３Aと残りの残存帯状部３Bとにより外表面に滑り止め部３に形成した例を示したが、滑り止め部３として、該本体の外表面に雪道等においても滑り難い凹凸を形成してもよい。
【産業上の利用可能性】
【００２０】
本発明は、雪道等を自転車で走行するのに利用される。
【符号の説明】
【００２１】
１      滑り止め具
２      本体
３      滑り止め部
４      係止突片部
５      タイヤ
７      リム
【図１】
2019127061.tif 000003
【図２】
2019127061.tif 000004
【図３】
2019127061.tif 000005
【図４】
2019127061.tif 000006
【手続補正書】
【提出日】平成30年1月29日(2018.1.29)
【手続補正１】
【補正対象書類名】図面
【補正対象項目名】全図
【補正方法】変更
【補正の内容】
【図１】
2019127061.tif 000007
【図２】
2019127061.tif 000008
【図３】
2019127061.tif 000009
【図４】
2019127061.tif 000010
(57)【要約】【課題】熊胆を用いた美肌用組成物を提供する。【解決手段】熊胆の粉末を油中又は水中に分散させてなる。前記油はオリーブオイルとすることができる。マイクロバブルの混入されたマイクロバブル水に熊胆の粉末を分散させたものとすることができる。ビタミンＣ誘導体、イチジクエキス及びアロエエキスから選択される１種以上の成分をさらに含有するものとすることができる。【選択図】なし【特許請求の範囲】
【請求項１】
熊胆の粉末を油中又は水中に分散させてなること、を特徴とする美肌用組成物。
【請求項２】
前記油はオリーブオイルである請求項１に記載の美肌用組成物。
【請求項３】
マイクロバブルの混入されたマイクロバブル水に熊胆の粉末を分散させた請求項１に記載の美肌用組成物。
【請求項４】
ビタミンＣ誘導体、イチジクエキス及びアロエエキスから選択される１種以上の成分をさらに含有する請求項１〜３のいずれか１項に記載の美肌用組成物。
【発明の詳細な説明】
【技術分野】
【０００１】
本発明は、美白やしみ、そばかすの軽減に効果の期待できる美肌用組成物に関する。
【背景技術】
【０００２】
従来、美白、しみやそばかすの軽減などの美肌用の外用組成物としては、天然由来の成分を有効成分とするものとして、ハマミズナ科の植物体から抽出した抽出物を含有する美白組成物（特許文献１）、ショウガ科ウコン属植物の地下茎の芽の抽出物を有効成分とする美白剤（特許文献２）、ケール又はその抽出物を含む美白剤（特許文献３）など、主に植物からの抽出物を有効成分とするものが種々知られている。
【０００３】
ところで、従来は胃腸薬として広く用いられている熊胆であるが、美肌効果や外傷を治す効能が期待される。
【先行技術文献】
【特許文献】
【０００４】
【特許文献１】特開２０１２−２３２９７６号公報
【特許文献２】特開２０１１−２４６３７５号公報
【特許文献３】特開２００４−９１３９６号公報
【発明の概要】
【発明が解決しようとする課題】
【０００５】
そこで、本発明は、熊胆を用いた美肌用組成物を提供することを目的とする。
【課題を解決するための手段】
【０００６】
上記課題を解決するために、請求項１に係る美肌用組成物は、熊胆の粉末を油中又は水中に分散させてなること、を特徴としている。
請求項２に係る美肌用組成物は、前記油をオリーブオイルとしたものである。
請求項３に係る美肌用組成物は、マイクロバブルの混入されたマイクロバブル水に熊胆の粉末を分散させたものである。
請求項４に係る美肌用組成物は、ビタミンＣ誘導体、イチジクエキス及びアロエエキスから選択される１種以上の成分をさらに含有するものである。
【発明の効果】
【０００７】
請求項１に係る発明によれば、熊胆の粉末を油中又は水中に分散させてなるので、熊胆による美白、しみやそばかすの軽減、傷を癒す効能が期待される。
請求項２に係る発明によれば、前記油をオリーブオイルとしたので、肌に塗り込んだ際に肌になじみ易いものとなる。
請求項３に係る発明によれば、マイクロバブルの混入されたマイクロバブル水に熊胆の粉末を分散させたので、熊胆による美白、しみやそばかすの軽減、傷を癒す効果の他、マイクロバブル水による汚れの除去効果も期待できるものとなる。
請求項４に係る発明によれば、ビタミンＣ誘導体、イチジクエキス及びアロエエキスから選択される１種以上の成分をさらに含有するので、これら成分による美肌効果も相まってさらなる美肌効果が期待される。
【発明を実施するための形態】
【０００８】
以下、本発明の実施の形態を具体的に説明する。本発明による美肌用組成物は、熊胆を油中又は水中に分散させたものである。本発明の第１の態様による美肌用組成物は、熊胆の粉末を油中に分散させたものである。油としては、オリーブオイルが好ましい。
【０００９】
本発明の第２の態様による美肌用組成物は、水中に熊胆の粉末を分散させたものである。好ましくは、マイクロバブルを混入させたマイクロバブル水中に熊胆の粉末を分散させたものである。
【００１０】
本発明の第３の態様による美肌用組成物は、油中又は水中に熊胆の粉末を分散させたものに、ビタミンＣ誘導体、イチジクエキス及びアロエエキスから選択される１種以上の成分をさらに含有させたものである。ビタミンＣ誘導体、イチジクエキス、アロエエキスのいずれか１成分でもよく、ビタミンＣ誘導体とイチジクエキスとの２成分、ビタミンＣ誘導体とアロエエキスとの２成分、イチジクエキスとアロエエキスとの２成分でもよく、ビタミンＣ誘導体、イチジクエキス及びアロエエキスの３成分を含有させてもよい。
ビタミンＣ誘導体は、美白やニキビの改善等の効果が期待される。イチジクエキスは保湿効果等が期待される。また、アロエエキスは、保湿効果や美白効果が期待される。
【００１１】
これら美肌用組成物の使用法について、熊胆の粉末を油中又は水中に分散させた美肌用組成物を肌にぬりこむ又は肌（顔面）に噴霧して使用する外用として用い、内用としては用いない。
オリーブオイルに熊胆の粉末を分散させた美肌用組成物は、肌へのなじみが良く好ましい。
マイクロバブル水に熊胆の粉末を分散させた美肌用組成物の場合は、肌にぬりこんで使用してもよいが、美顔器を用い、霧化させて顔面に噴霧して使用することもできる。
【００１２】
美白やしみやそばかすの軽減には、一日１〜３回程度の使用で、すぐに効果は出なくとも数か月程度継続して使用することにより、美肌効果が期待される。
(57)【要約】      （修正有）【課題】指先でつまみ押さえチューブの底部を挟み、チューブ内液状を出口方向に簡単に押し出す事ができる、ローラー付クリップを提供する。【解決手段】クリップ本体１の先端に大ローラー２、小ローラー３を設け、つまみ５の上下の支点４にコイルバネ６を設ける。【選択図】図１
2019127317.tif 000002
【特許請求の範囲】
【請求項１】
ローラー付クリップ本体（１）の先端に大・小のローラーを設け（２）上・下つまみ（５）支点（４）軸に巻いたコイルバネ（６）設けたローラー付クリップ
【発明の詳細な説明】
【発明に属する技術分野】
【０００１】この発明は  つまみを圧する事により  簡単にチューブを挟み液状を出口方向に、  絞り出すことが出来る、ローラー付クリップに関するものである。
【背景技術】
【０００２】イ  指で押さえて絞り出していた
ロ  チューブに付随した，空になった底の方から巻き取り、出口方向に絞り出していた。
【発明が解決しようとする課題】
【０００３】これいは次のような欠点があった。
イ）指先でチューブ押し出すので残量が残りやすい。
ロ）チューブに付随した、巻き取り式は再利用ができない。
ほん発明は、これらの欠点を解決するためなされたものである。
【課題を解決するための手段】
【０００４】クリップ本体（１）の先端に大、小、ローラーを設け（２）上下つまみ（５）支軸（４）に巻いたコイルバネ（６）の力で挟む
本発明は以上の構成からローラー付クリップである。
【発明を実施するための形態】
【０００５】以下、本発明の実施の形態を説明する。
イ）クリップ本体（１）の先端に大（２）小（３）、ローラーを設ける。
ロ）つまみ支点軸（４）にコイルバネ（６）を設ける。
本発明は以上のような構造からなる。
ローラー付クリップを、左手親指と人差し指でつまみを押さえ、チューブの底部を挟み右手人差し指で蓋押さえながらクリップ押すことでキューブ内液ジョウを簡単に出口方向に押しだされる。
【発明の効果】
【０００６】つまみを押さえて、チューブ挟み簡単に液状を出口方向に押し出すことができる、又残量を少なく使用できるので、経済的である。
イ）ローラー付クリップは、くりかいし使用できる。
ロ）チューブ入り歯磨き、食品、化粧品、その他チューブ入り製品に使用できる。
【図面の簡単な説明】
【０００７】
【図１】本発明の正面図と断面図である。
【図２】本発明の使用状態を表す図である。
【０００８】１  クリップ本体
２  大、ローラー
３  小、ローラー
４  支点
５  つまみ
６  コイルバネ
７  チューブ
８  蓋
【図１】
2019127317.tif 000003
【図２】
2019127317.tif 000004
(57)【要約】      （修正有）【課題】無人の回転翼航空機の荷物の積載性、点検性の向上、ならびに多用途化。【解決手段】回転翼航空機の機体胴体部を繊維素材で覆い、繊維素材で作られた機体被覆の表面にファスナー３を設け、ファスナーを開き繊維素材の柔軟性を利用して機体胴体部に大きな開口部をつくり機体内部への荷物７の積載、機体内部の点検、部品交換を容易に行えるようにし、機体を覆う繊維素材の被覆は服を着せ替えるように交換し機体の用途や使用環境にあわせて耐熱性能、耐薬品性能、耐刃性能、防水性能やデザインを変更する。【選択図】図２
2019127249.tif 000002
【特許請求の範囲】
【請求項１】
機体胴体部を繊維素材製の被覆で覆い機体内部の機器を保護し、機体胴体部の外部に設けたファスナーを開くことで機体胴体部に開口部をつくり、機体内部への荷物の収納ならびに機体内部の機器の点検、交換を行うことができる構造を有する無人の回転翼航空機
【請求項２】
請求項１の航空機において、機体胴体部を覆う繊維素材の被覆を繊維素材の材質や彩色の異なる繊維素材被覆に交換することで使用環境や使用条件に応じた性能やデザインを機体胴体部に付与できることを特徴とする無人の回転翼航空機
【発明の詳細な説明】
【技術分野】
【０００１】無人の回転翼航空機の機体構造に関するものである。
【背景技術】
【０００２】回転翼で飛行するヘリコプターや一般にドローン、マルチコプターと呼ばれる無線操縦や自動操縦などで飛行する無人航空機の機体は主に金属、炭素繊維、プラスチック等の柔軟性のない素材で作られている。【０００３】無人の回転翼航空機による荷物輸送の実用化試験が行われている。
【発明の概要】
【発明が解決しようとする課題】
【０００４】無人の回転翼航空機の荷物の積載性、点検性の向上、ならびに多用途化
【課題を解決するための手段】
【０００５】機体を覆う表面の被覆素材に繊維素材を用いる。【０００６】機体内部へのアクセスはファスナーの開閉で行う。【０００７】機体を覆う繊維素材被覆を交換可能とする。
【発明の効果】
【０００８】機体の外装被覆に繊維素材を用い、ファスナーの開閉で機体内部にアクセスするため機体の軽量化が可能である。【０００９】繊維素材被覆の内部に荷物を積載し外部環境から荷物を保護して運搬でき、ファスナーを用いることで機体内部への荷物の収納や機体の整備を容易に行うことができる。【００１０】繊維素材被覆、ファスナーの材質、構造を変更することで機体胴体部の耐薬品性能、耐熱性能、耐刃性能、防水性能やデザインの変更が可能である。
【図面の簡単な説明】
【００１１】
【図１】回転翼航空機の側面図である。
【図２】回転翼航空機の下面図である。
【発明を実施するための形態】
【００１２】回転翼航空機の機体を繊維素材製の被覆で覆う。
【００１３】機体表面の繊維素材被覆に機体内部にアクセスするためのファスナーを設ける。
【００１４】ファスナーには面ファスナー、線ファスナー、点ファスナー等を用いる。
【００１５】機体を覆う繊維素材被覆を交換できる構造とする。
【実施例１】
【００１６】図１、図２は４個の回転翼を有する回転翼航空機の側面図と下面図である。【００１７】機体胴体部６を覆う繊維素材被覆１は内部に荷物７を収納する空間を有する。【００１８】機体表面の繊維素材被覆１に設たファスナー３を開き、繊維素材被覆１の内部への荷物７の収納やバッテリー交換や燃料等の補給、機体点検などが行える。【００１９】機体表面の繊維素材被覆１は柔軟性があるためファスナー３を左右に開くことで機体表面部に大きな開口部を得られる。【００２０】必要に応じ繊維素材被覆１背面の機体内部の空間に衝撃緩衝材等でできた保護部品を取り付け機体胴体部６や荷物７の保護を行う。【００２１】ファスナー３には閉めた後、飛行中に開くことのないようロック機能を設ける。【００２２】機体内部から外部を観測する場合や機体外部から内部機器の点検を行う場合は必要に応じ機体胴体部を覆う繊維素材被覆１に窓４を設ける。【００２３】機体胴体部と回転翼２をつなぐアーム部８と繊維素材被覆１との接触箇所でアーム部を取り外せる構造とし、同箇所には必要に応じシール処理をおこない機体内部への水分や粉塵の侵入を防ぐことができる構造とする。
【実施例２】
【００２４】機体胴体部６と荷物７を積載するスペースを覆う繊維素材被覆１の交換を行う。【００２５】回転翼２と機体胴体部６を接続するアーム部８を取り外して機体胴体部を６覆う繊維素材被覆１のファスナー３の開口部より機体胴体部６を取り出す。【００２６】機体胴体部６に繊維素材被覆１の外部に装置を取り付けるための懸架装置や外部観測機器を有している場合も回転翼２のアーム部８と同様に外部の装置を取り外すか、あるいは繊維素材被覆１の開口部から内側に引き込んで繊維素材被覆１と機体胴体部６を分離する。【００２７】機体胴体部６を覆う繊維素材被覆１の材質や彩色の異なる繊維素材に変更し、再度組み立てることで機体の性能やデザインを変更できる。【００２８】繊維素材被覆を機体胴体部を包み込む形状とすることで回転翼や回転翼を接続するアーム部等の外装部品を取り外すことなく繊維素材被覆を交換することも可能である。
【産業上の利用可能性】
【００２９】無人小型回転翼航空機で荷物輸送を行う場合、外装を繊維素材とすることで最小限の機体重量の増加で荷物を外部環境から保護し輸送することができ、荷物の取り出しも容易に行える。
【符号の説明】
【００３０】１        繊維素材被覆
２        回転翼
３        ファスナー
４        窓
５        着陸脚
６        機体胴体部
７        荷物
８        アーム部
【図１】
2019127249.tif 000003
【図２】
2019127249.tif 000004
(57)【要約】【課題】従来の津波防止は、陸地に近い所か陸地に作っていた。そのため防波提を越える大きい津波が来ると短い時間で人がいる揚所まで来てしまう。【解決手段】本体構造物の両側の海底に重りを設置しワイヤーで海面に浮いている勾配のついた構造物と複数からなる浮き玉とを結び津波を防ぐ【選択図】図１
2019127814.tif 000002
【特許請求の範囲】
【請求項１】
津波がかけ上がれるよう勾配をつけた箱形構造物と津波をぶつけて威力を弱める複数からなる浮き玉を用いた津波防止用構造物
【発明の詳細な説明】
【技術分野】
【０００１】本発明は複数の浮き玉に勾配のついた箱形構造物を取りつけた津波防止に関する。
【背景技術】
【０００２】従来の津波防止は、防波提のようなコンクリートが使われている。津波が大きいと防波提を乗り越えて来る。
【発明の概要】
【発明が解決しようとする課題】
【０００３】以上に述べた従来の津波防止は大きい津波が来た揚合津波は防波提を乗り越えると短い時間で人がいる揚所まで来てしまう【０００４】本発明は、このような従来の構造物では出来なかった間題を解決することを目的とするものである。
【課題を解決するための手段】
【０００５】本発明は上記目的を達成するために海底に重りを設置し海面に浮かせた勾配のついた箱形構造物とワイヤーで結ぶ、その箱形の構造物と複数の浮き玉とつなぐ浮き玉の端をワイヤーで海底に設置した重りと結ぶ【０００６】上記課題解決手段により陸から離れた沖合いに設置することが可能になる。
【発明の効果】
【０００７】上述したように本発明の津波防止は、沖合いに設置することが出来るので従来設置が難かしかった揚所にも設置出来る用になる
【図面の簡単な説明】
【０００８】
【図１】本発明の構造物を上から見た正面図である。
【図２】同構造物を海の中から見た側面図である。
【発明を実施するための形熊】
【０００９】以下本発明の図１〜図３に基づいて説明する。
【００１０】図においては、５、６、７、８、は構造物全体が流れていかないようにするためのものである。５と７は海底に設置した重り、６と８は構造物全体をつなぎとめるワイヤーである。
【００１１】２は津波がかけ上がるように勾配をつけた箱形構造物である。
【００１２】１は２の箱形構造物を乗り越えて来た津波の威力を弱めるための浮き玉である。
【００１３】以下上記構成の説明をする。海底に設置した重り５にワイヤー６をつないで２の勾配をつけた構造物とつなぐ、その構造物と津波をぶつける１の複数の浮き玉とつなぐ、１と２の構造物が流されないように８のワイヤーを１の浮き玉と７の重りにつなぐ、津波は１の浮き玉にぶつかりながら１の浮き玉と浮き玉の間に落ちて行き四方八方に速度を落としながら広がって行くため被害を小さくすることが出来る。
【産業上の利用可能性】〔魚の養殖〕
〔油を取る植物プランクトンの養殖〕
【符号の説明】
【００１４】１  浮き玉
２  勾配のついた箱形構造物
【受託番号】〔０８０６４９７１９７２〕
【図１】
2019127814.tif 000003
【図２】
2019127814.tif 000004
【図３】
2019127814.tif 000005
【手続補正書】
【提出日】平成30年5月29日(2018.5.29)
【手続補正２】
【補正対象書類名】明細書
【補正対象項目名】０００８
【補正方法】変更
【補正の内容】
【０００８】
【図１】本発明の構造物  を上から見た斜視図である
【図２】本発明の構造物  を上から見た正面図である
【図３】同構造物  を海の中から見た側面図である
(57)【要約】【課題】従来の雪下ろしは、人力でやるか熱で雪を溶かしていた【解決手段】本発明は、磁石のついた屋根を音で振動させ磁力線の力で屋根の雪の一分を溶かして屋根の雪を滑り落ちやすくする。【選択図】図１
2019127813.tif 000002
【特許請求の範囲】
【請求項１】
家の屋根に磁石を取りつけ、音で磁力線を振動させその磁力線の力で雪をいちぶ溶かし屋根から雪が滑り落ちやすくする。
【発明の詳細な説明】
【技術分野】
【０００１】本発明は自動で雪下しが出来る装置に関する。
【背景技術】
【０００２】〔従来の雪下しは、スコップなどを使って人力で下している。【０００３】電気を使って熱で雪を溶かしていた
【発明の概要】
【発明が解決しようとする課題】
【０００４】以上に述べた従来の雪下しは、人力でやるか電気で熱を作り雪を溶かしていた。【０００５】本発明は、このような従来のやり方とは違うやり方を提供することを目的とする。
【課題を解決するための手段】
【０００６】そして本発明は磁力線の力で屋根と雪との間に氷になっているいち部分を溶かして滑りやすくして雪下ろしをすることを目的とする。【０００７】複数個磁石を屋根の内側に取り付けて、複数個のスピーカー〔も取り付けて音で磁石のついた屋根を振動させ磁力線の力で雪を溶かし雪を滑り溶とすことが出来る装置を提供できる。
【図面の簡単な説明】
【０００８】
【図１】上から見た屋根の断面図
【図２】横から見た屋根の断面図
【発明を実施するための形熊】
【０００９】以下本発明の実施の形熊を図１〜図２に基づいて説明する。
【００１０】図２の１においては、家の屋根の内側に取りつけた磁石である。
【００１１】３は家の屋根を音で振動させるためのスピーカーである。
【００１２】屋根は磁石がくっつくトタン屋根にする。
【００１３】以下、上記構成を説明する。家の屋根の内側に２の磁石を取りつけて、３のスピーカーから音を出し屋根を振動させる。その音で磁石が振動し磁力線の力で雪が溶け屋根から雪を滑り落とす。
【符号の説明】
【００１４】２  磁石
３  スピーカー
【受託番号】〔０８０６４９７１９７２〕
【図１】
2019127813.tif 000003
【図２】
2019127813.tif 000004
(57)【要約】【課題】従来の波消しは、大量のコンクリートを必要とする防波提や大量の波消しブロックを積み重ねなければならなかった。そのため工事期間も長くかかっていた。【解決手段】本体構造物の両サイドの海底に重りを説置し、その重りと海面に浮いている浮き玉と結び、その浮き玉と波を小さくするための複数の浮き玉がついたゴム板と両サイドに勾配をつけた箱形構造物を結び波を防ぐ、又構造物は工揚で作って現揚で説置して行くので工事期間は短く出来る。【選択図】図２
2019127815.tif 000002
【特許請求の範囲】
【請求項１】
浮き玉を取り付けたゴム板と両サイドに勾配をつけた箱形構造物からなる波消し。
【発明の詳細な説明】
【技術分野】
【０００１】本発明は、ゴム板に浮き玉を取りつけ、そのゴム板に波をぶつけて波を防ぐ事に関する。
【背景技術】
【０００２】従来の波を防ぐ方法は波消しブロックか、防波提のようなコンクリートが使われている。
【発明の概要】
【発明が解決しようとする課題】
【０００３】以上に述べた従来の波消しは大量のコンクートが必要になり、工事期間も長く掛かり、又海の深い所には設置出来なかった。【０００４】本発明は、このような従来の構造物では出来なかった問題を解決することを目的とするものである。
【課題を解決するための手段】
【０００５】本発明は上記目的を達成するために、海底に重を設置し海面に浮かせた浮き玉につなぎ、それを浮き玉のついたゴム板とつなぐ、波はゴム板にぶつかりながら波は進み最後は勾配のついた箱形の構造物の上を通過し反対側に川のように平になって流れて行く。【０００６】また、課題を解決するために構造物は工揚で造って設置するだけなので工事期間は短くなる。【０００７】上記課題解決手段により、海面近くで波を防ぐのである程度深い所にも設置が可能になる。
【発明の効果】
【０００８】上述したように本発明の波消しは構造物全体を小さくつくる事が出来るので工事期間も短く従来設置が難かしかった揚所にも設置出来る用になる。
【図面の簡単な説明】
【０００９】
【図１】本発明の構造物を上から見た正面図である。
【図２】同構造物を海の中から見た側面図である。
【発明を実施するための形熊】
【００１０】以下、本発明の実施の形熊を図１〜図２に基づいて設明する。
【００１１】図においては、１と７は構造物全体が流れていかないようにするためのものである、７は海底に設置した重り、１は海底の重りとワイヤーでつないだ浮き玉である。
【００１２】３は波が掛け上がった時、川のように平にして流すための勾配のついた箱形の構造物である。
【００１３】４はゴム板で波を小さくするためのものです、そのためゴム板に複数個浮き玉を取りつける。波が上から押しつぶそうとする力とゴム板が浮き玉の浮力で浮き上がろうとする力で打ち消し合うため波を小さく出来る。
【発明の効果】
【００１４】以下、上記構成の説明をする。海底に説置した重り７からワイヤー６をつけて、ワイヤー６を１の浮き玉につなぐ、１の浮き玉と４のゴム板をつなぐ、４のゴム板には波を小さくするためゴム板４には浮き玉５を複数取り付ける。ゴム板４と両サイドに勾配をつけた箱形構造物とつなぐ、波は箱形構造物の上を通り平になって川のように流れて行く、箱形構造物と１の浮き玉をワイヤー２でつなぎ、１の浮き玉と７の重りもワイヤー６でつなぎ本体構造が流れて行かないようにする。
【産業上の利用可能性】〔魚の養殖〕
〔油を取る植物プランクトンの養殖〕
【符号の説明】〔３  両サイドに勾配のついた箱形構造物〕
〔４  ゴム板〕
〔５  浮き玉〕
【受託番号】〔０８０６４９７１９７２〕
【図１】
2019127815.tif 000003
【図２】
2019127815.tif 000004
(57)【要約】      （修正有）【課題】建物に簡単に日影をつくることが出来、店舗などのデザインにも使えるタイルの提供。【解決手段】建築用のタイル３に人工の葉っぱ１を簡単に取りつけられる用に穴２をあけたタイル。【選択図】図１
2019127816.tif 000002
【特許請求の範囲】
【請求項１】
建築用のタイルに人工の葉っぱを簡単に取りつけられる用に穴をあけたタイル。
【発明の詳細な説明】
【技術分野】
【０００１】本発明は、建物のタイルに関する。
【背景技術】
【０００２】従来のタイルは、建物に張り付けただけだった
【発明の概要】
【発明が解決しようとする課題】
【０００３】以上に述べた従来のタイルは、建物に張り付けただけだった。【０００４】本発明は、建物に日影をつくることを目的とするものである。
【課題を解決するための手段】
【０００５】そして本発明は、上記目的を達成するためにタイルに穴をあけ、その穴に人工の葉っぱを取り付る。
【発明の効果】
【０００６】上述したように本発明のタイルは、建物に日影をつくることが出来又店舗などのデザインにも使える。
【図面の簡単な説明】
【０００７】
【図１】同タイルと人工の葉っぱを斜め上から見た外観図。
【図２】正面図
【図３】横から見た断面図
【発明を実施するための形熊】
【０００８】以下、本発明の実施の形熊を図１〜図３に基づいて説明する。
【０００９】図においては、３のタイルに２の複数の穴をあける、その穴に取りつける人工の葉っぱ。
【符号の説明】１  人工の葉っぱ
２  穴
３  タイル
【受託番号】〔０８０６４９７１９７２〕
【図１】
2019127816.tif 000003
【図２】
2019127816.tif 000004
【図３】
2019127816.tif 000005
(57)【要約】【課題】オイル保持能力を高めることができ、かつ摺動抵抗を低減すること。【解決手段】ピストンには、内燃機関に設けられたシリンダライナ１６の内周面と対向する外周面を有するスカート部１２ｂが形成される。スカート部１２ｂの外周面には、桟状の凸部ＣＶが現れるように、凹部ＣＣが形成される。ここで、凸部ＣＶは、内周面に対向する先端面ＥＦと、先端面ＥＦとともに角部を形成する両側面ＳＦとを有する。【選択図】図３
2019127872.tif 000002
【特許請求の範囲】
【請求項１】
内燃機関に設けられたシリンダの内周面と対向する外周面を有するスカート部が形成されたピストンであって、
前記内周面に対向する先端面と、前記先端面とともに角部を形成する両側面とを有する桟状の凸部が前記外周面に現れるように、前記外周面に凹部を形成するようにした、ピストン。
【発明の詳細な説明】
【技術分野】
【０００１】
この発明は、内燃機関のピストンに関し、特に、シリンダの内周面と対向する外周面を有するスカート部が形成された、ピストンに関する。
【背景技術】
【０００２】
この種のピストンが、特許文献１または２に開示されている。これらの文献は、内燃機関のピストンスカート部の表面にオイル保持能力を得るための溝や凹部を形成し、これによってオイル保持性ひいてはピストンの耐久性を高めることを開示している。より詳しくは、特許文献１では、溝をクロスハッチ状に形成することで、溝に入り込んだオイルが溝に沿って移動して溝の端部から排出される傾向が緩和され、溝におけるオイル保持性が向上する。また、特許文献２では、高面圧部のコーディング層にオイル溜りとなる凹部を設けることで、オイル保持性が確保される。
【先行技術文献】
【特許文献】
【０００３】
【特許文献１】特開２０１６−１１３９２６号公報
【特許文献２】特開２００９−５２４５１号公報
【発明の概要】
【発明が解決しようとする課題】
【０００４】
しかし、特許文献１の技術では、溝の端部からのオイル排出は避けられないため、オイル保持能力に限界がある。また、特許文献２では、凹部の輪郭が円形であるため、凹部以外の部分で引き起こされる摺動抵抗の低減に限界がある。
【０００５】
それゆえに、この発明の主たる目的は、オイル保持能力を高めることができ、かつ摺動抵抗を低減することができる、内燃機関のピストンを提供することである。
【課題を解決するための手段】
【０００６】
この発明に係るピストンは、内燃機関に設けられたシリンダの内周面と対向する外周面を有するスカート部が形成されたピストンであって、内周面に対向する先端面と、先端面とともに角部を形成する両側面とを有する桟状の凸部が外周面に現れるように、外周面に凹部を形成するようにした、ピストンである。
【発明の効果】
【０００７】
先端面はシリンダの内周面と対向し、先端面および両側面は角部を形成するため、シリンダの内周面に付着したオイルは、ピストンの上昇によって掻き上げられ、ピストンの降下によって掻き落とされる。こうしてシリンダから剥離したオイルは、桟によって囲まれた空間に保持される。これによって、オイル保持能力を高めることができる。また、凸部は桟状であるため、スカート部の外周面にディンプルを形成する場合に比べて、摺動面積を小さくできるので摺動抵抗を低減することができる。
【０００８】
この発明の上述の目的，その他の目的，特徴および利点は、図面を参照して行う以下の実施例の詳細な説明から一層明らかとなろう。
【図面の簡単な説明】
【０００９】
【図１】この実施例のピストンを示す正面図である。
【図２】ピストンがシリンダライナを摺動する状態を図１に示すＡ−Ａ断面の視点で示す断面図である。
【図３】図２に示す断面図の要部を拡大した拡大図である。
【図４】他の実施例のピストンに形成された凸部の模様を示す図解図である。
【発明を実施するための形態】
【００１０】
図１〜図３を参照して、この実施例のピストン１０は、内燃機関のシリンダに設けられて上下動する部品であり、ヘッド部１２ａおよびスカート部１２ｂを有する。ヘッド部１２ａの外周面およびスカート部１２ｂの外周面はいずれも、シリンダライナ１６の内周面と対向する。また、スカート部１２ｂの外周面は、ヘッド部１２ａの外周面に対して面一とされる。
【００１１】
ヘッド部１２ａの外周面には、トップリング１４ａ，セカンドリング１４ｂおよびオイルリング１４ｃが装着される。このうち、トップリング１４ａおよびセカンドリング１４ｂは、ピストン１０の上方での爆発によって生じた燃焼ガスがヘッド部１２ａの外周面とシリンダライナ１６の内周面との隙間からピストン１０の下方に漏れるのを防止するために装着される。また、オイルリング１４ｃは、シリンダライナ１６の内周面に供給されたオイルＬＢの膜厚を必要最小限の膜厚に調整するために装着される。
【００１２】
スカート部１２ｂの外周面には、桟状（格子状）の凸部ＣＶが現れるように、切削加工によって凹部ＣＣが形成される。図３から分かるように、凸部ＣＶは、シリンダライナ１６の内周面に対向する先端面ＥＦを有し、さらに当該先端面ＥＦとともに角部を形成する両側面ＳＦを有する。また、図１に示すように、凸部ＣＶが描く桟の対角線は、上下方向または左右方向に延在する。
【００１３】
したがって、シリンダライナ１６の内周面に付着したオイルＬＢは、ピストン１０の上昇によって掻き上げられ、ピストン１０の降下によって掻き落とされる。こうしてシリンダライナ１６から剥離したオイルは、桟によって囲まれた空間のうち、特に上下方向の対角部に保持される。これによって、オイルＬＢの保持性能を高めることができる（油膜切れを抑制でき、或いは油膜形成を促進できる）。また、凸部ＣＶは桟状であるため、スカート部１２ｂの外周面にディンプルを形成する場合に比べて、摺動面積を小さくできるので摺動抵抗を低減することができる。
【００１４】
なお、この実施例によれば、凸部ＣＶは桟状（格子状）とされるが、凸部ＣＶは、図４に示すようにハニカム状に形成するようにしてもよい。この場合でも、向かい合う２つの角部を各々が結ぶ３つの直線のうちの１つが上下方向に延在するように、ハニカムが描かれる。
【００１５】
また、この実施例では、桟状の凸部ＣＶが現れるように、スカート部１２ｂの外周面に切削加工を施している。しかし、桟状の凸部ＣＶは、金属母材の表面にコーティングによって形成するようにしてもよい。この場合、凸部ＣＶは表面プリントによって形成されるため、ピストン１０の製造コストを抑えることができる。また、コーティング層に固体潤滑剤を含有させることで、摺動抵抗のさらなる低減が図られる。
【００１６】
さらに、ピストン１０の金型のうちスカート部１２ｂに対応する部分に微細な桟状の溝を刻むことで、凹部ＣＣおよび凸部ＣＶを形成するようにしてもよい。この場合、桟の間隔や配置を任意に設定しつつ、上述と同様の効果が得られる。
【符号の説明】
【００１７】
１０  …ピストン
１２ａ  …ヘッド部
１２ｂ  …スカート部
１６  …シリンダライナ
ＣＣ  …凹部
ＣＶ  …凸部
【図１】
2019127872.tif 000003
【図２】
2019127872.tif 000004
【図３】
2019127872.tif 000005
【図４】
2019127872.tif 000006